(57)【要約】【課題】耐振動性を確保しつつも、回転軸を支持するベアリングが軸ずれしてしまうことを極力抑えること。【解決手段】駆動軸２１及び従動軸２２を回転可能に支持するベアリング２３ａ，２３ｂは第１ロータハウジング形成用ハウジング１３ａに支持されるとともに、第１ロータハウジング形成用ハウジング１３ａには、第２ロータハウジング形成用ハウジング１３ｂが接合されている。第２ロータハウジング形成用ハウジング１３ｂには取付脚部４１，４２，４３が設けられている。【選択図】図１
2012202303.tif 000002
【特許請求の範囲】
【請求項１】
ポンプ部を駆動させるために駆動源の駆動により回転する回転軸と、
前記回転軸を回転可能に支持するベアリングと、
前記ベアリングを支持する第１ハウジング構成体と、
前記第１ハウジング構成体に接合され前記ベアリングを支持しない第２ハウジング構成体と、
被取付体の被取付面に対してボルトにより取り付けられる３つ以上の取付脚部と、を備えたポンプであって、
前記取付脚部は全て前記第２ハウジング構成体に設けられていることを特徴とするポンプ。
【請求項２】
前記取付脚部は、前記ボルトが挿通可能な挿通孔を有し、
各取付脚部は、各挿通孔の中心点を結んで形成される多角形の領域内に、前記ポンプの重心が含まれるように、前記第２ハウジング構成体に対して配設されていることを特徴とする請求項１に記載のポンプ。
【発明の詳細な説明】
【技術分野】
【０００１】
本発明は、ポンプに関する。
【背景技術】
【０００２】
一般に、ポンプ（圧縮機を含む）のハウジング内には、駆動源の駆動により回転する回転軸と、回転軸の回転に伴い駆動するポンプ部とが収容されている。回転軸はベアリングを介してハウジングに回転可能に支持されている。また、ポンプのハウジングには、例えば、エンジンルームを形成するボディ（被取付体）の被取付面にポンプを取り付けるための取付脚部がポンプの耐振動性を確保するために少なくとも三つ以上設けられている。そして、各取付脚部を被取付面に対してボルトにより締結することで、ポンプがボディに取り付けられる（例えば特許文献１参照）。
【先行技術文献】
【特許文献】
【０００３】
【特許文献１】特開２００９−１５０２３６号公報
【発明の概要】
【発明が解決しようとする課題】
【０００４】
ところで、例えば、車両における運転中でのエンジンからの発熱によりエンジンルーム内が高温になり、ボディの被取付面が熱変形する場合がある。被取付面が熱変形すると、被取付面に取り付けられた取付脚部が被取付面の熱変形に追従して変位して、この取付脚部の変位によりハウジングが変形してしまう。すると、ハウジングに設けられたベアリングの位置が変位して、回転軸を支持する複数のベアリングの中心軸がずれてしまう。この軸ずれの状態で回転軸が回転すると、騒音が発生したり、ベアリングの耐久性が低下したりする虞がある。特に、回転軸を２本以上備える噛み合い式のポンプでは、軸同士が平行でなくなるためにポンプ部で干渉が起こり大きな問題となる。
【０００５】
本発明は、上記課題を解決するためになされたものであって、その目的は、耐振動性を確保しつつも、回転軸を支持するベアリングが軸ずれしてしまうことを極力抑えることができるポンプを提供することにある。
【課題を解決するための手段】
【０００６】
上記目的を達成するために、請求項１に記載の発明は、ポンプ部を駆動させるために駆動源の駆動により回転する回転軸と、前記回転軸を回転可能に支持するベアリングと、前記ベアリングを支持する第１ハウジング構成体と、前記第１ハウジング構成体に接合され前記ベアリングを支持しない第２ハウジング構成体と、被取付体の被取付面に対してボルトにより取り付けられる３つ以上の取付脚部と、を備えたポンプであって、前記取付脚部は全て前記第２ハウジング構成体に設けられていることを要旨とする。
【０００７】
この発明によれば、ベアリングを支持する第１ハウジング構成体には取付脚部が設けられていないため、被取付面の変形に追従して取付脚部が変位しても、第１ハウジング構成体は、取付脚部の変位による影響を受け難く、第１ハウジング構成体が取付脚部の変位により変形してしまうことを抑制することができる。よって、３つ以上設けられる取付脚部によりポンプ自体の耐振動性を確保しつつも、回転軸を支持するベアリングが軸ずれしてしまうことを極力抑えることができる。
【０００８】
請求項２に記載の発明は、請求項１に記載の発明において、前記取付脚部は、前記ボルトが挿通可能な挿通孔を有し、各取付脚部は、各挿通孔の中心点を結んで形成される多角形の領域内に、前記ポンプの重心が含まれるように、前記第２ハウジング構成体に対して配設されていることを要旨とする。
【０００９】
この発明によれば、例えば、車両が走行しているときに車両が振動して、ポンプが振動したとしても、各取付脚部により、ポンプの振動に対しての耐振動性を効果的に確保することができる。
【発明の効果】
【００１０】
この発明によれば、耐振動性を確保しつつも、回転軸を支持するベアリングが軸ずれしてしまうことを極力抑えることができる。
【図面の簡単な説明】
【００１１】
【図１】実施形態における電動ルーツ型ポンプの断面図。
【図２】電動ルーツ型ポンプにおけるボディへの取り付け状態を示す図。
【発明を実施するための形態】
【００１２】
以下、本発明を電動ルーツ型ポンプに具体化した一実施形態を図１及び図２にしたがって説明する。電動ルーツ型ポンプは、燃料電池自動車に搭載されるとともに燃料電池に酸素及び水素を供給して発電させる燃料電池システムに水素を供給するために用いられる。なお、以下の説明において、電動ルーツ型ポンプの「前」及び「後」は、図１に示す矢印Ｙ１の方向を前後方向とし、「左」及び「右」は、図１に示す矢印Ｙ２の方向を左右方向とする。
【００１３】
図１に示すように、電動ルーツ型ポンプ１０は、ポンプ部１１と駆動部１２とから構成されている。ポンプ部１１は、鉄製のロータハウジング１３の前側にアルミニウム製のギアハウジング１４が接合固定されて形成されている。ロータハウジング１３は、第１ロータハウジング形成用ハウジング１３ａと第２ロータハウジング形成用ハウジング１３ｂとを有している。ポンプ部１１は、第１ロータハウジング形成用ハウジング１３ａの後側に第２ロータハウジング形成用ハウジング１３ｂが固定ボルト１３ｃにより固定されることによって形成されるとともに、第１ロータハウジング形成用ハウジング１３ａと第２ロータハウジング形成用ハウジング１３ｂとの間にはポンプ室１５が形成されている。また、第１ロータハウジング形成用ハウジング１３ａの前側にはギアハウジング１４が接合固定されるとともに、第１ロータハウジング形成用ハウジング１３ａとギアハウジング１４との間にはギア室１６が形成されている。
【００１４】
駆動部１２は、ギアハウジング１４の前側にアルミニウム製のモータハウジング１７が接合固定されて形成されるとともに、モータハウジング１７とギアハウジング１４との間にはモータ室１８が形成されている。モータ室１８には、駆動源としての電動モータ１９が収容される。
【００１５】
モータハウジング１７の内周面にはステータ１９ａ（固定子）が固定されるとともに、ステータ１９ａは、モータハウジング１７の内周面に固定されたステータコア１９１ａのティース（図示せず）にコイル１９２ａが巻回されて構成されている。また、ステータ１９ａの内側にはモータロータ１９ｂ（回転子）が設けられている。モータロータ１９ｂは、回転軸としての駆動軸２１に止着されたロータコア１９１ｂと、ロータコア１９１ｂの周面に設けられた複数の永久磁石１９２ｂとからなる。
【００１６】
駆動軸２１は、第１ロータハウジング形成用ハウジング１３ａ及びモータハウジング１７にベアリング２３ａ，２３ｃを介して回転可能に支持されている。駆動軸２１に対して平行に設けられる従動軸２２は、第１ロータハウジング形成用ハウジング１３ａにベアリング２３ｂを介して回転可能に支持されている。ベアリング２３ａ，２３ｂは、第１ロータハウジング形成用ハウジング１３ａに形成される嵌込孔２４ａ，２４ｂに嵌め込まれることにより、第１ロータハウジング形成用ハウジング１３ａに支持されている。
【００１７】
よって、本実施形態では、第１ロータハウジング形成用ハウジング１３ａ及びモータハウジング１７は、ベアリング２３ａ，２３ｂ，２３ｃを支持する第１ハウジング構成体である。また、第２ロータハウジング形成用ハウジング１３ｂ及びギアハウジング１４は、ベアリングを支持しない第２ハウジング構成体である。
【００１８】
また、ギア室１６には、駆動軸２１に固定された駆動ギア２５と、従動軸２２に固定された従動ギア２６とが互いに噛合連結された状態で収容されている。駆動軸２１及び従動軸２２は、駆動ギア２５及び従動ギア２６によってギア連結されている。
【００１９】
駆動軸２１には、ポンプ室１５に収容される鉄製の駆動ロータ２７が取付け固定されている。また、従動軸２２には、ポンプ室１５に収容される鉄製の従動ロータ２８が取付け固定されている。駆動ロータ２７及び従動ロータ２８は、駆動軸２１の軸線Ｍが延びる方向（軸方向）に直交する断面視が双葉状（瓢箪状）に形成されている。そして、駆動ロータ２７及び従動ロータ２８は、駆動ロータ２７の山歯２７ａと従動ロータ２８の谷歯２８ａ、及び駆動ロータ２７の谷歯（図示せず）と従動ロータ２８の山歯（図示せず）とが噛合可能にポンプ室１５に収容されている。また、ロータハウジング１３（第２ロータハウジング形成用ハウジング１３ｂ）には、流体をポンプ室１５に吸引する吸入口３１と、吸入口３１の対向位置にポンプ室１５で移送された流体を吐出する吐出口３２が形成されている。
【００２０】
このように構成された電動ルーツ型ポンプ１０では、電動モータ１９の駆動によって駆動軸２１が回転することにより、駆動ギア２５と従動ギア２６との噛合連結を通じて従動軸２２が駆動軸２１とは異なる方向へ回転する。すると、ポンプ室１５内では、駆動ロータ２７及び従動ロータ２８が、駆動軸２１及び従動軸２２が有する位相差（９０度）をもって同期回転する。そして、流体は、駆動ロータ２７及び従動ロータ２８の同期回転に伴って吸入口３１からポンプ室１５へ吸入される。ポンプ室１５に吸入された流体は、両ロータ２７，２８の外面とポンプ室１５の内周面１５ａとが協働することにより、ポンプ室１５にて移送される。この移送された流体は、吐出口３２からポンプ室１５外へ吐出される。
【００２１】
上記構成の電動ルーツ型ポンプ１０のハウジングには、取付脚部としての第１〜第３取付脚部４１，４２，４３が設けられている。各取付脚部４１，４２，４３は、燃料電池自動車に搭載される燃料電池システムを形成する被取付体としてのボディＢｄの被取付面Ｂｄ１に電動ルーツ型ポンプ１０を取り付けるために用いられる。
【００２２】
図２に示すように、第２ロータハウジング形成用ハウジング１３ｂには、その外周面１３１ｂから左方に向かって延びる第１取付脚部４１が一体形成されている。第１取付脚部４１は、第１取付部４１ｂと、第１取付部４１ｂと第２ロータハウジング形成用ハウジング１３ｂの外周面１３１ｂとを連結する部位である第１連結部４１ｃとから構成されている。第１取付部４１ｂには、円孔状をなす挿通孔としての第１挿通孔４１ａが形成されるとともに、第１挿通孔４１ａにはボルトとしての第１ボルトＢ１が挿通可能になっている。第１連結部４１ｃは、第２ロータハウジング形成用ハウジング１３ｂの外周面１３１ｂから下方に延びた後、左方に向かって延びるように設けられている。
【００２３】
また、第２ロータハウジング形成用ハウジング１３ｂには、その外周面１３１ｂから右方に向かって延びる第２取付脚部４２が一体形成されている。第２取付脚部４２は、第２取付部４２ｂと、第２取付部４２ｂと第２ロータハウジング形成用ハウジング１３ｂの外周面１３１ｂとを連結する部位である第２連結部４２ｃとから構成されている。第２取付部４２ｂには、円孔状をなす挿通孔としての第２挿通孔４２ａが形成されるとともに、第２挿通孔４２ａにはボルトとしての第２ボルトＢ２が挿通可能になっている。第２連結部４２ｃは、第２ロータハウジング形成用ハウジング１３ｂの外周面１３１ｂから下方に延びた後、右方に向かって延びるように設けられている。図１に示すように、第２ロータハウジング形成用ハウジング１３ｂにおいて、第１取付脚部４１と第２取付脚部４２とは、駆動軸２１及び従動軸２２を挟んで上下方向に対向する位置に配設されている。
【００２４】
また、図２に示すように、第２ロータハウジング形成用ハウジング１３ｂにおける底壁１３２ｂの中央部下方には、駆動軸２１の軸方向後側に向かって延びる第３取付脚部４３が一体形成されている。第３取付脚部４３は、第３取付部４３ｂと、第３取付部４３ｂと第２ロータハウジング形成用ハウジング１３ｂの底壁１３２ｂとを連結する部位である第３連結部４３ｃとから構成されている。第３取付部４３ｂには、円孔状をなす挿通孔としての第３挿通孔４３ａが形成されるとともに、第３挿通孔４３ａにはボルトとしての第３ボルトＢ３が挿通可能になっている。第３連結部４３ｃは、第２ロータハウジング形成用ハウジング１３ｂの底壁１３２ｂから下方に延びた後、駆動軸２１の軸方向後側に向かって延びるように設けられている。
【００２５】
図１に示すように、第１挿通孔４１ａの中心点Ｐ１と第２挿通孔４２ａの中心点Ｐ２とを結ぶ直線Ｌ１、第１挿通孔４１ａの中心点Ｐ１と第３挿通孔４３ａの中心点Ｐ３とを結ぶ直線Ｌ２、及び第２挿通孔４２ａの中心点Ｐ２と第３挿通孔４３ａの中心点Ｐ３とを結ぶ直線Ｌ３により三角形Ｔが形成されている。そして、本実施形態では、電動ルーツ型ポンプ１０の重心Ｇが、直線Ｌ１上に位置している。すなわち、各取付脚部４１，４２，４３は、この三角形Ｔの領域内に電動ルーツ型ポンプ１０の重心Ｇが収まるように第２ロータハウジング形成用ハウジング１３ｂに対して配設されている。なお、鉄はアルミニウムに比べて重量が重いため、本実施形態では、電動ルーツ型ポンプ１０の重心Ｇは、鉄製からなる第２ロータハウジング形成用ハウジング１３ｂ、駆動ロータ２７及び従動ロータ２８側に寄った位置になっている。
【００２６】
直線Ｌ１は、駆動軸２１の軸方向に対して直交する方向へ延びている。また、駆動軸２１の軸方向に沿って延びるとともに第３挿通孔４３ａの中心点Ｐ３を通過する直線Ｌ４は、中心点Ｐ１と中心点Ｐ２との間の距離（直線Ｌ１の長さ）の半分の位置に存在する点Ｐ４を通過している。
【００２７】
図２に示すように、第１挿通孔４１ａに第１ボルトＢ１を挿通して被取付面Ｂｄ１に第１ボルトＢ１を締め付けることで、第１取付脚部４１が被取付面Ｂｄ１に締結される。同様に、第２挿通孔４２ａに第２ボルトＢ２を挿通して被取付面Ｂｄ１に第２ボルトＢ２を締め付けることで、第２取付脚部４２が被取付面Ｂｄ１に締結される。同様に、第３挿通孔４３ａに第３ボルトＢ３を挿通して被取付面Ｂｄ１に第３ボルトＢ３を締め付けることで、第３取付脚部４３が被取付面Ｂｄ１に締結される。これら各取付脚部４１，４２，４３における被取付面Ｂｄ１への締結により、電動ルーツ型ポンプ１０がボディＢｄに取り付けられる。
【００２８】
次に、本実施形態の作用について説明する。
例えば、燃料電池システムにおいて、燃料電池に酸素と水素を供給して発電させることで、この発電による発熱によりボディＢｄの被取付面Ｂｄ１が熱変形する場合がある。被取付面Ｂｄ１が熱変形すると、被取付面Ｂｄ１に取り付けられた各取付脚部４１，４２，４３が被取付面Ｂｄ１の熱変形に追従して変位して、この各取付脚部４１，４２，４３の変位により第２ロータハウジング形成用ハウジング１３ｂが変形する。しかし、本実施形態では、ベアリング２３ａ，２３ｂ，２３ｃを支持する第１ロータハウジング形成用ハウジング１３ａ及びモータハウジング１７には取付脚部が設けられていないため、被取付面Ｂｄ１の熱変形に追従して各取付脚部４１，４２，４３が変位しても、各ベアリング２３ａ，２３ｂ，２３ｃは、各取付脚部４１，４２，４３の変位による影響を受け難くなっている。
【００２９】
上記実施形態では以下の効果を得ることができる。
（１）第２ロータハウジング形成用ハウジング１３ｂに各取付脚部４１，４２，４３を設けた。すなわち、ベアリング２３ａ，２３ｂ，２３ｃを支持する第１ロータハウジング形成用ハウジング１３ａ及びモータハウジング１７には取付脚部が設けられていない。よって、被取付面Ｂｄ１の熱変形に追従して各取付脚部４１，４２，４３が変位しても、各ベアリング２３ａ，２３ｂ，２３ｃは、各取付脚部４１，４２，４３の変位による影響を受け難い。その結果、各取付脚部４１，４２，４３により電動ルーツ型ポンプ１０自体の耐振動性を確保しつつも、駆動軸２１及び従動軸２２を支持するベアリング２３ａ，２３ｂ，２３ｂが軸ずれしてしまうことを極力抑えることができる。
【００３０】
（２）各取付脚部４１，４２，４３は、三角形Ｔの領域内に電動ルーツ型ポンプ１０の重心Ｇが収まるように第２ロータハウジング形成用ハウジング１３ｂに対して配設されている。よって、例えば、燃料電池自動車が走行しているときに燃料電池自動車が振動して、電動ルーツ型ポンプ１０が振動したとしても、各取付脚部４１，４２，４３により、電動ルーツ型ポンプ１０の振動に対しての耐振動性を効果的に確保することができる。
【００３１】
（３）上記構成の電動ルーツ型ポンプ１０によれば、駆動軸２１及び従動軸２２を支持するベアリング２３ａ，２３ｂ，２３ｃが軸ずれしてしまうことを極力抑えることができ、両ロータ２７，２８同士が干渉してしまうことを抑制することができる。
【００３２】
なお、上記実施形態は以下のように変更してもよい。
○  実施形態において、各取付脚部４１，４２，４３は、三角形Ｔの領域内に電動ルーツ型ポンプ１０の重心Ｇが収まるように第２ロータハウジング形成用ハウジング１３ｂに対して配設されていなくてもよい。
【００３３】
○  実施形態において、第２ロータハウジング形成用ハウジング１３ｂに取付脚部を４つ以上設けてもよい。
○  実施形態において、各取付脚部４１，４２，４３は、第２ロータハウジング形成用ハウジング１３ｂのみに設けられていたが、これに限らず、ギアハウジング１４に取付脚部がさらに設けられていてもよい。また、ギアハウジング１４のみに取付脚部が設けられていてもよい。
【００３４】
○  本発明を電動ルーツ型ポンプ１０に具体化したが、これに限らず、その他のポンプ又は圧縮機（例えばスクロール式、スクリュー式、又はピストン式の圧縮機等）に具体化してもよい。
【００３５】
○  本発明を駆動源として電動モータ１９を用いる電動ルーツ型ポンプ１０に具体化したが、これに限らず、例えば、駆動源としてエンジンを用いるポンプに具体化してもよい。この場合、ポンプは、ハイブリッド自動車や、エンジンのみで駆動する自動車などに搭載され、それら自動車のエンジンや、エンジンルームを形成するボディ等に取り付けられる。
【００３６】
次に、上記実施形態及び別例から把握できる技術的思想について以下に追記する。
（イ）前記第２ハウジング構成体には、前記取付脚部が３つ設けられていることを特徴とする請求項１又は請求項２に記載のポンプ。
【００３７】
（ロ）前記ポンプは電動ルーツ型ポンプであることを特徴とする請求項１又は請求項２、及び前記技術的思想（イ）のいずれか一項に記載のポンプ。
（ハ）前記ポンプは、燃料電池自動車に搭載される燃料電池システムを形成するボディに取り付けられていることを特徴とする請求項１又は請求項２、及び前記技術的思想（イ）、（ロ）に記載のポンプ。
【符号の説明】
【００３８】
Ｂ１…ボルトとしての第１ボルト、Ｂ２…ボルトとしての第２ボルト、Ｂ３…ボルトとしての第３ボルト、Ｂｄ…被取付体としてのボディ、Ｂｄ１…被取付面、Ｇ…重心、Ｐ１，Ｐ２，Ｐ３…中心点、１０…ポンプとしての電動ルーツ型ポンプ、１１…ポンプ部、１３ａ…第１ハウジング構成体としての第１ロータハウジング形成用ハウジング、１３ｂ…第２ハウジング構成体としての第２ロータハウジング形成用ハウジング、１４…第２ハウジング構成体としてのギアハウジング、１７…第１ハウジング構成体としてのモータハウジング、１９…駆動源としての電動モータ、２１…回転軸としての駆動軸、２３ａ，２３ｂ，２３ｃ…ベアリング、４１…取付脚部としての第１取付脚部、４１ａ…挿通孔としての第１挿通孔、４２…取付脚部としての第２取付脚部、４２ａ…挿通孔としての第２挿通孔、４３…取付脚部としての第３取付脚部、４３ａ…挿通孔としての第１挿通孔。
【図１】
2012202303.tif 000003
【図２】
2012202303.tif 000004